(57)【特許請求の範囲】
【請求項１】
屋根と側部とを備え、前記側部にはＦＩＸ窓及び開閉可能な障子を納めたサッシを備えた組立建物であって、
前記ＦＩＸ窓に収納したパネルの側部を支持する縦枠と、
前記縦枠に形成された第一の切欠凹部に嵌合して前記パネルの下部を支持する無目と、
前記ＦＩＸ窓の下側に設置されていて開閉可能な障子を納めたサッシにおいて前記縦枠の下側に設置されたサッシ縦枠と、
前記サッシ縦枠に形成した第二の切欠凹部に嵌合していて前記無目の下側に固定したサッシ上枠と、を備え、
前記無目の端部は前記サッシ上枠の端部と面一かそれより突出しており、
前記縦枠には前記無目の延長上に開口部が形成されていて、前記開口部を通して縦枠の無目と反対側に形成した空洞部に水を流すようにしたことを特徴とする組立建物。
【請求項２】
前記空洞部内における前記縦枠の開口部にガイド部材を取り付け、該ガイド部材によって前記開口部から流入する水を前記縦枠とサッシ縦枠の境目の下側に誘導するようにした請求項１に記載された組立建物。
【請求項３】
前記ガイド部材には下方に向けて前記縦枠から離間する方向に傾斜するテーパ面を形成した請求項２に記載された組立建物。
【発明の詳細な説明】
【技術分野】
【０００１】
本発明は、家屋のテラスやベランダ等に設置するテラス囲いや物干しルームや、家屋に隣接して設置されるサンルーム等を含む組立建物に関する。
【背景技術】
【０００２】
従来、家屋のテラスやベランダ等に設置する物干しルームやサンルームや日よけルーム等を含む組立建物は、家屋のテラス窓等の前面にサッシで枠組みを形成してガラスや強化プラスチック等のパネルを嵌め込んで形成された屋根や側面等を組み立てて形成され、支柱で屋根や側面を支持している。
このような組立建物の一例として特許文献１に記載されたサンルームが提案されている。このサンルームは、家屋の外壁から延びる屋根と側部の角部に設置された支柱と側面パネルとを組み立てて形成しており、側部の正面と側面には引き違い障子が設置され、引き違い障子の上部にはランマが設置されている。
【０００３】
上述したようなサンルームや物干しルーム等に相当する組立建物の正面や側面には、上部にパネルを嵌め込んだランマが設置され、このランマはその四辺を上下枠と左右の縦枠とで囲われている。ランマの下部には引き違い障子を収納したサッシ枠としてサッシ上下枠と左右のサッシ縦枠とを備えている。ランマと引き違い障子はそれぞれ独立した枠体で取り付けられている。
そして、ランマの下枠である無目は縦枠の内面に当接し、その下側のサッシ枠におけるサッシ縦枠はランマの縦枠よりも幅の狭い部材で構成されている。そのため、ランマの縦枠はサッシ上枠の上面に載置される構成を有している。
【先行技術文献】
【特許文献】
【０００４】
【特許文献１】特開２０００−１４５１８４号公報
【発明の概要】
【発明が解決しようとする課題】
【０００５】
ところで、サンルームに雨等が当たって雨水がランマの縦枠に沿って下方に流れると、ランマの縦枠と無目との境目を通してサッシ縦枠を載置したサッシ上枠の上面に流れ込むことがあった。この場合、従来はコーキング材の塗布等によってサッシ上枠の上面に水が流れ込むことを防いでいたが、施工のバラツキによる品質の低下やコーキング材の経年劣化等の問題があった。
【０００６】
本発明は、このような課題に鑑みてなされたものであって、ＦＩＸ窓の縦枠を流れる水がサッシのサッシ上枠の上面に流れ込むことを防止できるようにした組立建物を提供することを目的とする。
【課題を解決するための手段】
【０００７】
本発明による組立建物は、屋根と側部とを備え、側部にはＦＩＸ窓及び開閉可能な障子を納めたサッシを備えた組立建物であって、ＦＩＸ窓に収納したパネルの側部を支持する縦枠と、縦枠に形成された第一の切欠凹部に嵌合してパネルの下部を支持する無目と、ＦＩＸ窓の下側に設置されていて開閉可能な障子を納めたサッシにおいて縦枠の下側に設置されたサッシ縦枠と、サッシ縦枠に形成した第二の切欠凹部に嵌合していて無目の下側に固定したサッシ上枠と、を備え、無目の端部はサッシ上枠の端部と面一かそれより突出しており、縦枠には無目の延長上に開口部が形成されていて、開口部を通して縦枠の無目と反対側に形成した空洞部に水を流すようにしたことを特徴とする。
本発明によれば、ＦＩＸ窓の縦枠を流れ落ちる水は無目に流れ込み、無目の上面から無目の端部とサッシ上枠の端部を流れて下方に流れる。その際、無目の見付方向の端部はその下に当接するサッシ上枠の端部と面一かより見付け方向外側に突出しているため、無目との間からサッシ上枠の上面に流れ込むことを防止できて、サッシ上枠の上面に形成した取り付け孔から組立建物内に水が漏れることを防止できる。また、縦枠を流れる水は無目に流れ落ちて、無目から縦枠の開口部を通して下方向に延びる空洞部内に流すことができるためスムーズに水を排出することができる。
【０００９】
また、空洞部内における縦枠の開口部にガイド部材を取り付け、該ガイド部材によって開口部から流入する水を縦枠とサッシ縦枠の境目の下側に誘導するようにしてもよい。
これによって、開口部から空洞部内に流入する水はガイド部材によって縦枠とサッシ縦枠の境目の下側に誘導できるため、空洞部内でも境目からサッシ上枠の上面に水が流れ込むことを防止できる。
【００１０】
また、ガイド部材には下方に向けて縦枠から離間する方向に傾斜するテーパ面を形成してもよい。
開口部から空洞部内に流れ込む水はガイド部材のテーパ面を流れて空洞部の一面を形成する縦枠とサッシ縦枠から離間する方向にガイドするため、一層、縦枠との境目からサッシ上枠の上面に水が流れ込むことを防止できる。
【発明の効果】
【００１１】
本発明による組立建物によれば、無目の見付け方向の端部はサッシ上枠の端部と面一かそれより突出しているため、ＦＩＸ窓の縦枠を伝わる雨水等の水はサッシ上枠の上面に流れ落ちずに無目の端部とサッシ上枠の端部から縦枠に沿って下方に誘導できてサッシ上枠の上面から組立建物の内部に流れ込むことを防止できる。
【図面の簡単な説明】
【００１２】
【図１】本発明の実施形態による組立建物の要部側面図である。
【図２】図１に示す組立建物において柱の内側に設けたＦＩＸ窓の枠体とサッシの枠体の一部を示す斜視図である。
【図３】図２に示すＦＩＸ窓の縦枠と無目及びサッシ上枠の分解斜視図である。
【図４】図２に示すＦＩＸ窓の縦枠と無目との継目において縦枠に形成した開口部を示す部分斜視図である。
【図５】ＦＩＸ窓の縦枠及びサッシのサッシ縦枠と無目及びサッシ上枠との接続構造を縦枠の裏面の空洞部側から見た図である。
【図６】図５に示す縦枠の開口に嵌合するガイド部材を示す図である。
【発明を実施するための形態】
【００１３】
以下、本発明の実施形態による組立建物について図１から図６に基づいて説明する。
図１は本発明の実施形態による組立建物の一例として、物干しルーム１を示すものである。本実施形態による物干しルーム１は例えば家屋２のテラス窓３に設置した組み立て式の建物である。物干しルーム１は、家屋２のテラス窓３の延長上に設置した床面４に設置したものであり、テラス窓３の両側の壁面に設置した一対の支持枠５とその前方に設置した一対の支柱６とを備え、更に家屋２のテラス窓３の上部壁面から斜め下方に湾曲して形成する屋根７と、２本の支柱６と一対の支持枠５を連結した例えば平面視略四角形状をなす側部８とを備えている。
【００１４】
側部８は正面８ａとその両側に設置された一対の側面８ｂとで略コの字状に形成されており、正面８ａには図示しないパネルが例えば枠部で仕切られて設置されている。図１に示す側面８ｂには、支柱６の上部から支持枠５に延びる梁部材９が設置され、梁部材９と屋根７との間に屋根側パネル１１が設置され、梁部材９と床面４との間にはランマ１２を構成するＦＩＸ窓と、その下側に設置されたサッシの枠体１０内に引き違い障子１３として内障子１４と外障子１５が納められている。
なお、引き違い障子１３に代えてドアを設置してもよいし、引き戸を設置してもよい。これら引き違い障子、ドア、引き戸等は障子を構成し、引き違い障子、ドア、引き戸等とその枠体１０はサッシを構成する。
【００１５】
側面８ｂにおいて、ＦＩＸ窓からなるランマ１２は枠体１６内にガラスパネル１７を納めている。枠体１６は内側縦枠１８と外側縦枠１９、上枠２０、下枠である無目２１で略四角形状に形成されている。
また、無目２１の下側には引き違い障子１３を納めたサッシの枠体１０が形成されている。サッシの枠体１０は、内側サッシ縦枠２４、外側サッシ縦枠２５、サッシ上枠２６、サッシ下枠２７で略四角形枠状に形成されている。
【００１６】
図２から図４に示すランマ１２の外側縦枠１９と引き違い障子１３の外側サッシ縦枠２５において、外側縦枠１９と無目２１の内面中央にはガラスパネル１７を例えば現場施工で嵌め込むガラス溝部１９ａ、２１ａが形成されている。内側縦枠１８と上枠２０にも同様にガラス溝部が形成されている。これらランマ１２のガラス溝部１９ａ、２１ａ内にガラスパネル１７がパッキンによって嵌合されている。その隙間から雨水等が入ってしまう。
ランマ１２における外側縦枠１９の下部には略直角に切り欠いた下部切欠凹部２９(第一の切欠凹部)が形成され、この下部切欠凹部２９には無目２１の見付け方向端部が嵌め込まれて嵌合している。外側縦枠１９の下部１９ｂは下部切欠凹部２９によって小幅に形成されている。
【００１７】
また、サッシの枠体１０の外側サッシ縦枠２５の上部には略直角に切り欠いた上部切欠凹部３０(第二の切欠凹部)が形成され、この上部切欠凹部３０にはサッシ上枠２６の見付け方向端部が嵌め込まれて嵌合している。外側サッシ縦枠２５の上部２５ｂは上部切欠凹部３０によって小幅に形成されている。なお、外側縦枠１９と外側サッシ縦枠２５の下部１９ｂと上部２５ｂ以外の領域では外側縦枠１９の方が幅広に形成されているが、同一幅に形成してもよい。
また、外側縦枠１９の下部１９ｂと外側サッシ縦枠２５の上部２５ｂの境目は無目２１とサッシ上枠２６の接続面であるサッシ上枠２６の上面と面一とされているが、上下にずれていてもよい。
【００１８】
しかも、外側縦枠１９の下部１９ｂと外側サッシ縦枠２５の上部２５ｂは同一幅に設定されて連結されているため、下部切欠凹部２９と上部切欠凹部３０にそれぞれ嵌合された無目２１とサッシ上枠２６は互いに当接してその見付け方向の端面が面一に設定されている。換言すると、無目２１とサッシ上枠２６は支柱６方向の見付け方向の長さが同一に設定されている。また、サッシ上枠２６には上下部を貫通してボルトを無目２１に締め込んで連結するための取り付け孔３１が形成されている
そのため、ランマ１２の外側縦枠１９のガラス溝部１９ａを伝わって流れ落ちる雨水等は無目２１の端面とサッシ上枠２６の端面を伝わってその下方に流れ落ちることになる。サッシ上枠２６に無目２１に連結するための取り付け孔３１があってもサッシ上枠２６の上面に雨水が流れ込んで取り付け孔３１から水が物干しルーム１内に落下することを防止できる。
【００１９】
図２に示すように、外側縦枠１９の支柱６側の裏面１９ｃに複数の起立片が形成されて上下方向に延びている。裏面１９ｃと起立片と支柱６の壁面とで小幅の閉鎖空間として空洞部２０ａを形成し、空洞部２０ａは支柱６に沿って上下方向に形成されている。同様に、外側サッシ縦枠２５の裏面２５ｃにも起立片が形成され、裏面２５ｃと起立片と支柱６の壁面とで小幅の空洞部２０ｂを形成し、この空洞部２０ｂも支柱６に沿って上下方向に形成されている。これら外側縦枠１９の空洞部２０ａと外側サッシ縦枠２５の空洞部２０ｂは互いに連結されて下方向に延びている。
また、図３及び図４に示すように、外側縦枠１９のガラス溝部１９ａ内には、無目２１のガラス溝部２１ａの延長上に開口部３３が形成され、この開口部３３は空洞部２０ａに連通している。そのため、開口部３３から外側縦枠１９の空洞部２０ａ内に侵入した雨水は外側サッシ縦枠２５の空洞部２０ｂを通って床面４側に落下して排水されることになる。
【００２０】
また、図５は外側縦枠１９と外側サッシ縦枠２５の接続部における支柱６側の裏面１９ｃ、２５ｃにおいて、外側縦枠１９に形成した開口部３３にはガイド部材３５が設置されている。ガイド部材３５は、図６に示すように、上下方向に延びる本体部３５ａとその上端に形成されていて開口部３３の両側部に弾性を以て係合する一対の係止爪３５ｂとを備えている。
更に本体部３５ａの支柱６側の面には開口部３３側の上部から下部に向けて支柱６に近づくようにテーパ面３５ｃを形成し、テーパ面３５ｃの下側の下端部３５ｄは外側縦枠１９と外側サッシ縦枠２５の端面同士の境目近くに位置している。これによって、開口部３３から空洞部２０ａ、２０ｂに落下する雨水が外側縦枠１９と外側サッシ縦枠２５の境目からサッシ上枠２６の上面に流れることを防止している。
このガイド部材３５によって開口部３３を通過した雨水は支柱６側に落下して外側縦枠１９の空洞部２０ａから外側サッシ縦枠２５の空洞部２０ｂの下方まで落下する。
【００２１】
本実施形態による物干しルーム１は上述の構成を備えており、次にその作用について説明する。
本実施形態による物干しルーム１は家屋２のテラス窓３の外側に設置されているために雨風にさらされる。そして、物干しルーム１に吹き付ける雨により例えば側面８ｂにおけるランマ１２の外側縦枠１９に付着する雨水は、ガラスパネル１７が現場取り付けであることも相まってガラス溝部１９ａが深く形成されており、ガラスパネル１７とパッキンとの隙間からガラス溝部１９ａに流れ込んで下方に流れて無目２１のガラス溝部２１ａに流れ落ちる。
【００２２】
ガラスパネル１７とパッキンとの隙間からガラス溝部２１ａ内に落ちた雨水は、図４に示す外側縦枠１９のガラス溝部１９ａに形成された開口部３３を通して支柱６側の小幅の空洞部２０ａに落下する。ここで、開口部３３から空洞部２０ａ内に入った雨水は、図５に示すガイド部材３５のテーパ面３５ｃを流れ落ちて外側縦枠１９の裏面１９ｃから遠ざかり支柱６の壁面側に近づく。しかも、外側縦枠１９の空洞部２０ａから外側サッシ縦枠２５の空洞部２０ｂを通って下方に排出される。
なお、本実施形態では、雨水だけでなく物干しルーム１の洗浄時の洗浄水等も同様に外側縦枠１９の開口部３３から空洞部２０ａ及び空洞部２０ｂを通して下方に誘導できる。
【００２３】
上述のように本実施形態による物干しルーム１によれば、外側縦枠１９の下部１９ｂを切り欠いて無目２１をサッシ上枠２６の上面に重ねて同じ見付け方向長さに設置したため、無目２１のガラス溝部２１ａに流れ落ちた雨水がサッシ上枠２６の上面に流れ込むことを防止できる。そのため、サッシ上枠２６の上面にシーリングの土手を設ける必要がなく安定した防水効果を得られる。
しかも、無目２１のガラス溝部２１ａに流れ込む雨水は外側縦枠１９の開口部３３を通って支柱６との間の空洞部２０ａ、２０ｂ内を下方までスムーズに落下する。また、開口部３３の空洞部２０ａ内にガイド部材３５を設置したため、雨水はテーパ面３５ｃを流れて外側サッシ縦枠２５との境目を越えてこの境目の下方位置で空洞部２０ａ、２０ｂ内を流れ落ち、サッシ上枠２６の上面に雨水が流れ込むことを確実に防止できる。
【００２４】
なお、本発明による物干しルーム１は、上述した実施形態に限定されるものではなく、本発明の要旨を逸脱しない範囲で適宜の変更や置換等が可能である。以下に、本発明の変形例について上述した実施形態と同一または同様な部品や部分には同一の符号を用いて説明する。
【００２５】
上述した実施形態では、ランマ１２の外側縦枠１９に開口部３３を形成したが、必ずしも開口部３３を設けなくてもよい。この場合でも、外側縦枠１９と外側サッシ縦枠２５の各切欠凹部２９，３０に嵌合する無目２１とサッシ上枠２６の見込み方向の端面を面一に設定したため、外側縦枠１９を流れ落ちる雨水がサッシ上枠２６の上面に乗ることなく無目２１とサッシ上枠２６の端面に沿って下方に流れ落ちる。
また、開口部３３に代えて外側縦枠１９の下部切欠凹部２９と無目２１との嵌合部分、そして外側サッシ縦枠２５の上部切欠凹部３０とサッシ上枠２６との嵌合部分に下方に延びる隙間を形成してもよい。この場合には、無目２１のガラス溝部２１ａからこの隙間を通ってサッシ上枠２６の下方に雨水を誘導できる。
【００２６】
また、外側縦枠１９に開口部３３を設けた場合でもガイド部材３５を設置しなくてもよい。この場合、無目２１とサッシ上枠２６の端面が面一に設定されているために、開口部３３から流れ落ちる雨水はサッシ上枠２６の上面に流れ込まない。
なお、ランマ１２の外側縦枠１９は本発明における縦枠を構成し、外側サッシ縦枠２５はサッシ縦枠を構成する。
また、上述した実施形態において必ずしも支柱６は設置しなくてもよく側部８の剛性によって物干しルーム１を支持してもよい。この場合、空洞部２０ａ、２０ｂを仕切る支柱６の壁面に代えて外側縦枠１９、外側サッシ縦枠２５の各仕切片を閉塞する板材を設けるとよい。
【００２７】
また、上述した実施形態では、物干しルーム１の側面８ｂに本実施形態によるランマ１２と引き違い障子１３を上下方向にそれぞれ設置したが、側面８ｂに代えて、或いは側面８ｂと共に正面８ａにも本実施形態によるランマ１２と引き違い障子１３を設置してもよいことはいうまでもない。また、上述した実施形態では、物干しルーム１を家屋２の前面の１階のテラス窓３を囲う建物として設置したが、１階または２階以上に設置したべランダ等に設置してもよい。
なお、本発明は物干しルーム１に限らず、テラス囲いやサンルームや日よけ場やガーデンルーム等を含む各種の組立建物に適用できる。
【符号の説明】
【００２８】
１  物干しルーム
６  支柱
８  側部
８ｂ  側面
１０  サッシの枠体
１２  ランマ
１３  引き違い障子
１６  枠体
１９  外側縦枠
１９ａ、２１ａ  ガラス溝部
２０ａ、２０ｂ  空洞部
２１  無目
２５  外側サッシ縦枠
２６  サッシ上枠
２９  下部切欠凹部
３０  上部切欠凹部
３３  開口部
３５  ガイド部材
３５ｃ  テーパー面
【図１】
0006483539.tif 000002
【図２】
0006483539.tif 000003
【図３】
0006483539.tif 000004
【図４】
0006483539.tif 000005
【図５】
0006483539.tif 000006
【図６】
0006483539.tif 000007